(57)【要約】  【課題】  特定のキー入力が禁止された箇所の直前において、そのキー入力があった時に、そのキー入力による処理が禁止箇所で実行されるのを防止することができる機能を有する光ディスク再生装置を提供する。  【解決手段】  例えば、早送り再生中に、例えば一時停止キーが押下されると、一時停止キーのキー入力があった時点のナビゲーションパックの次と次の次のナビゲーションパックに含まれるユーザ操作制御情報をチェックして、当該一時停止キー入力が禁止であるか否かを判定する。当該一時停止キー入力が禁止でなければ、当該一時停止キー入力に従った一時停止処理を行う。当該一時停止キー入力が禁止であれば、禁止マークを表示手段に表示させると共に、一時停止キー入力による実行を禁止する。このような禁止処理により、禁止箇所でユーザ操作が実行されてしまうのを防止することができる。【選択図】      図４
2006338706.tif 000002
【特許請求の範囲】
【請求項１】
光ディスクに記録された情報を再生する光ディスク再生装置において、光ディスクが装
填されて立ち上げされた後、キー入力があった際に、その時点の前記光ディスク上の制御
情報のナビゲーションパックに含まれるユーザ操作制御情報により当該キー入力は禁止さ
れているか許可されているかを判定する第１のキー入力禁止／許可判定手段と、当該キー
入力が禁止されていると前記第１のキー入力禁止／許可判定手段により判定されたときは
禁止マークを表示手段に表示させると共に当該キー入力による実行を禁止する第１のキー
入力実行禁止手段と、当該キー入力が許可されていると判定されたときは当該キー入力に
従った処理を実行させる第１のキー入力実行手段と、通常再生中にキー入力があった際に
、この時点の前記光ディスク上の制御情報のナビゲーションパックの次のナビゲーション
パックに含まれるユーザ操作制御情報により当該キー入力は禁止されているか許可されて
いるかを判定する第２のキー入力禁止／許可判定手段と、当該キー入力が禁止されている
と前記第２のキー入力禁止／許可判定手段により判定されたときは禁止マークを表示手段
に表示させると共に当該キー入力による実行を禁止する第２のキー入力実行禁止手段と、
当該キー入力が許可されていると前記第２のキー入力禁止／許可判定手段により判定され
たときは当該キー入力に従った処理を実行させる第２のキー入力実行手段と、早送り／早
戻し再生中にキー入力があった際に、この時点の前記光ディスク上の制御情報のナビゲー
ションパックの次と次の次のナビゲーションパックに含まれるユーザ操作制御情報により
当該キー入力は禁止されているか許可されているかを判定する第３のキー入力禁止／許可
判定手段と、当該キー入力が禁止されていると前記第３のキー入力禁止／許可判定手段に
より判定されたときは禁止マークを表示手段に表示させると共に当該キー入力による実行
を禁止する第３のキー入力実行禁止手段と、当該キー入力が許可されていると前記第３の
キー入力禁止／許可判定手段により判定されたときは当該キー入力に従った処理を実行さ
せる第３のキー入力実行手段と有するシステムコントローラを備えたことを特徴とする光
ディスク再生装置。
【請求項２】
光ディスクに記録された情報を再生する光ディスク再生装置において、光ディスクが装
填された後、キー入力があった際に、この時点の動作状態に応じて先読み情報として指定
されたナビゲーションパックのユーザ操作制御情報を前記光ディスクから読み出し、この
読み出されたユーザ操作制御情報により当該キー入力が禁止されていると判定されたとき
は、禁止マークを表示手段に表示させると共に、当該キー入力を実行させないように制御
するシステムコントローラを備えたことを特徴とする光ディスク再生装置。
【請求項３】
この時点の動作状態に応じて先読み情報として指定されたナビゲーションパックのユー
ザ操作制御情報とは、光ディスクが装填された後、キー入力があった際に、この時点の前
記光ディスク上の制御情報のナビゲーションパックに含まれるユーザ操作制御情報、また
は通常再生中にキー入力があった際に、この時点の前記光ディスク上の制御情報のナビゲ
ーションパック以降のナビゲーションパックのユーザ操作制御情報、または早送り／早戻
し再生中にキー入力があった際に、この時点の前記光ディスク上の制御情報のナビゲーシ
ョンパック以降のナビゲーションパックのユーザ操作制御情報であることを特徴とする請
求項２に記載の光ディスク再生装置。
【請求項４】
通常再生中にキー入力があった際に、この時点の前記光ディスク上の制御情報のナビゲ
ーションパック以降のナビゲーションパックのユーザ操作制御情報とは、前記時点の前記
光ディスク上の制御情報のナビゲーションパックの次のナビゲーションパックに含まれる
ユーザ操作制御情報であり、早送り／早戻し再生中にキー入力があった際に、この時点の
前記光ディスク上の制御情報のナビゲーションパックの以降のナビゲーションパックのユ
ーザ操作制御情報とは、前記時点の前記光ディスク上の制御情報のナビゲーションパック
の次と次の次のナビゲーションパックに含まれるユーザ操作制御情報であることを特徴と
する請求項３に記載の光ディスク再生装置。
【請求項５】
前記システムコントローラは、光ディスクが装填されて立ち上げされた後、キー入力が
あった際に、その時点の前記光ディスク上の制御情報のナビゲーションパックに含まれる
ユーザ操作制御情報により当該キー入力は禁止されているか許可されているかを判定する
第１のキー入力禁止／許可判定手段と、当該キー入力が禁止されていると前記第１のキー
入力禁止／許可判定手段により判定されたときは禁止マークを表示手段に表示させると共
に当該キー入力による実行を禁止する第１のキー入力実行禁止手段と、当該キー入力が許
可されていると判定されたときは当該キー入力に従った処理を実行させる第１のキー入力
実行手段と、通常再生中にキー入力があった際に、この時点の前記光ディスク上の制御情
報のナビゲーションパックの次のナビゲーションパックに含まれるユーザ操作制御情報に
より当該キー入力は禁止されているか許可されているかを判定する第２のキー入力禁止／
許可判定手段と、当該キー入力が禁止されていると前記第２のキー入力禁止／許可判定手
段により判定されたときは禁止マークを表示手段に表示させると共に当該キー入力による
実行を禁止する第２のキー入力実行禁止手段と、当該キー入力が許可されていると前記第
２のキー入力禁止／許可判定手段により判定されたときは当該キー入力に従った処理を実
行させる第２のキー入力実行手段と、早送り／早戻し再生中にキー入力があった際に、こ
の時点の前記光ディスク上の制御情報のナビゲーションパックの次と次の次のナビゲーシ
ョンパックに含まれるユーザ操作制御情報により当該キー入力は禁止されているか許可さ
れているかを判定する第３のキー入力禁止／許可判定手段と、当該キー入力が禁止されて
いると前記第３のキー入力禁止／許可判定手段により判定されたときは禁止マークを表示
手段に表示させると共に当該キー入力による実行を禁止する第３のキー入力実行禁止手段
と、当該キー入力が許可されていると前記第３のキー入力禁止／許可判定手段により判定
されたときは当該キー入力に従った処理を実行させる第３のキー入力実行手段と有するこ
とを特徴とする請求項２に記載の光ディスク再生装置。
【発明の詳細な説明】
【技術分野】
【０００１】
本発明は、光ディスクに記録された情報を再生する光ディスク再生装置に関し、特に、
ユーザ操作の可否を制御するユーザ操作制御情報が付加的に記録されている光ディスクに
ついてのキー入力処理に関する。
【背景技術】
【０００２】
近年において普及してきているＤＶＤ（デジタル・バーサタイル・ディスク）ビデオの
光ディスクでは、ディスクメーカ側において、頭出し、早送り、早戻しなどの機能につい
てのユーザ操作（ＵＯＰ）を禁止する情報を書き込むことによって、ユーザ操作を制限す
ることができるようになっている。
【０００３】
図５はＤＶＤビデオの光ディスクへの禁止情報の書込みによりユーザ操作を制御し得る
ユーザ機能を示す図である。この図５において、Ｙｅｓは、対応するユーザ機能について
のユーザ操作が、対応するタイトル・サーチポインタ・テーブル（ＴＴ＿ＳＲＰＴ）、プ
ログラム・チェーン情報（ＰＧＣＩ）またはビデオ・オブジェクト・ユニット（ＶＯＢＵ
）におけるユーザ操作ビット（ＵＯＰビット）により制御することができることを示し、
Ｎｏは制御できないことを示している。
【０００４】
このような光ディスクを再生する光ディスク再生装置では、光ディスクを再生し、図５
に示すようなユーザ操作の許可または禁止を示すユーザ操作制御情報、即ち、光ディスク
上の制御情報のナビゲーションパック（ＮＶ＿ＰＣＫ）に含まれるビデオ・オブジェクト
・ユニット（ＶＯＢＵ）のユーザ操作制御（ＶＯＢＵ＿ＵＯＰ＿ＣＴＬ）情報を読み込ん
だ後、ユーザが禁止されているユーザ操作を行った場合には、当該光ディスクでは、その
ユーザ操作が禁止されていることを示す旨の警告をマーク表示などにより行うと共に、そ
のユーザ操作に対応するユーザ機能を実行しないようにしている。
【特許文献１】特開２００２−２６９７５４号公報
【特許文献２】特開平１１−４１５６３号公報
【特許文献３】特開２００４−３４８９６６号公報
【発明の開示】
【発明が解決しようとする課題】
【０００５】
前述したように従来の光ディスク再生装置では、光ディスクに予め記録されたユーザ操
作制御情報でユーザ操作によるキー入力を禁止するか許可するかを判定しているが、例え
ば、図６に示すように、キー入力が特定の間隔で禁止か許可かを切り換えられているよう
な場合、キー入力が発生した時点ｔ１では、このキー入力は許可され、このキー入力に対
する処理が許可領域の時点ｔ２で実行されるが、禁止領域に近い許可領域の時点ｔ３でキ
ー入力が発生すると、このキー入力に対する処理が実行される時点は、禁止領域の時点ｔ
４になり、このキー入力は禁止領域に入ってしまっているにも拘わらず実行されてしまう
ことになる。
【０００６】
例えば、一時停止キー入力があった時は、許可領域にあったが、一時停止（ポーズ）が
実行された時、禁止領域に入っていた場合には、禁止領域にも拘わらず、一時停止（ポー
ズ）が発生するという不具合が生じる。また、例えば、ディスクメーカのロゴマークを出
画している時に、早送りすると、そのロゴマークが飛ばされるので、これを防止するため
に、この時の早送りキー入力を禁止しているが、禁止領域に近い許可領域の時点で早送り
キー入力が発生すると、この早送りキー入力に対する処理が実行される時点は、禁止領域
に入り、この禁止領域にロゴマークがあるにも拘わらずロゴマークが早送りされ、ディス
クメーカにとっては不本意になる。
【０００７】
なお、特許文献１の従来技術では、再生を開始する前に、ユーザ操作の可否を制御する
可否制御情報を記録媒体から読み出すことにより、禁止されているユーザ操作を再生開始
前に知ることができるようにしているが、特定のキー入力が禁止された箇所の直前におい
て、そのキー入力があった時に、そのキー入力による処理が禁止箇所で実行されるのを防
止する対策は施されていない。
【０００８】
特許文献２の従来技術では、ユーザ操作群がユーザ操作を禁止する内容であるときに、
この禁止内容に対応する操作をユーザが行った場合、その操作が禁止されていることをユ
ーザに通知またはユーザ操作禁止を表示できるようにしているが、この従来技術も、特定
のキー入力が禁止された箇所の直前において、そのキー入力があった時に、そのキー入力
による処理が禁止箇所で実行されるのを防止する対策は施されていない。
【０００９】
特許文献３の従来技術では、再生制御情報に含まれるユーザ操作制御情報からユーザ操
作の可否を決めるユーザ操作ビット群を取り出し、そのユーザ操作ビット群がユーザ操作
を禁止する内容を含むときに、このユーザ操作群の内容で禁止されない操作キーを通知ま
たは選択的に表示するようにしているが、この従来技術も、特定のキー入力が禁止された
箇所の直前において、そのキー入力があった時に、そのキー入力による処理が禁止箇所で
実行されるのを防止する対策は施されていない。
【００１０】
本発明は、上記のような課題を解決するためになされたもので、特定のキー入力が禁止
された箇所の直前において、そのキー入力があった時に、そのキー入力による処理が禁止
箇所で実行されるのを防止することができる機能を有する光ディスク再生装置を提供する
ことを目的とする。
【課題を解決するための手段】
【００１１】
上記目的を達成するために、請求項１の発明は、光ディスクが装填されて立ち上げされ
た後、キー入力があった際に、その時点の前記光ディスク上の制御情報のナビゲーション
パックに含まれるユーザ操作制御情報により当該キー入力は禁止されているか許可されて
いるかを判定する第１のキー入力禁止／許可判定手段と、当該キー入力が禁止されている
と前記第１のキー入力禁止／許可判定手段により判定されたときは禁止マークを表示手段
に表示させると共に当該キー入力による実行を禁止する第１のキー入力実行禁止手段と、
当該キー入力が許可されていると判定されたときは当該キー入力に従った処理を実行させ
る第１のキー入力実行手段と、通常再生中にキー入力があった際に、この時点の前記光デ
ィスク上の制御情報のナビゲーションパックの次のナビゲーションパックに含まれるユー
ザ操作制御情報により当該キー入力は禁止されているか許可されているかを判定する第２
のキー入力禁止／許可判定手段と、当該キー入力が禁止されていると前記第２のキー入力
禁止／許可判定手段により判定されたときは禁止マークを表示手段に表示させると共に当
該キー入力による実行を禁止する第２のキー入力実行禁止手段と、当該キー入力が許可さ
れていると前記第２のキー入力禁止／許可判定手段により判定されたときは当該キー入力
に従った処理を実行させる第２のキー入力実行手段と、早送り／早戻し再生中にキー入力
があった際に、この時点の前記光ディスク上の制御情報のナビゲーションパックの次と次
の次のナビゲーションパックに含まれるユーザ操作制御情報により当該キー入力は禁止さ
れているか許可されているかを判定する第３のキー入力禁止／許可判定手段と、当該キー
入力が禁止されていると前記第３のキー入力禁止／許可判定手段により判定されたときは
禁止マークを表示手段に表示させると共に当該キー入力による実行を禁止する第３のキー
入力実行禁止手段と、当該キー入力が許可されていると前記第３のキー入力禁止／許可判
定手段により判定されたときは当該キー入力に従った処理を実行させる第３のキー入力実
行手段と有するシステムコントローラを備えたことを特徴とする光ディスク再生装置を提
供する。
【００１２】
この構成において、光ディスクが装填され、立ち上がった後、キー入力があると、第１
のキー入力禁止／許可判定手段は、この時点の光ディスク上の制御情報のナビゲーション
パックに含まれるユーザ操作制御情報をチェックして、当該キー入力が禁止されているか
否かを判定する。当該キー入力が禁止であれば、第１のキー入力実行禁止手段は、禁止マ
ークを表示手段に表示させると共に、当該キー入力による実行を禁止する。一方、当該キ
ー入力が禁止でなければ、第２のキー入力実行手段は当該キー入力に対する処理を実行す
る。
【００１３】
ここで、通常再生が行われている時に、例えば、停止キーが押下されると、第２のキー
入力禁止／許可判定手段は、停止キーのキー入力があった時点のナビゲーションパックの
次のナビゲーションパックに含まれるビデオ・オブジェクト・ユニットのユーザ操作制御
情報をチェックして、当該停止キー入力が禁止であるか否かを判定する。当該停止キー入
力が禁止でなければ、第２のキー入力実行手段は、当該停止キー入力に従った停止処理を
実行する。当該停止キー入力が禁止であれば、第２のキー入力実行禁止手段は、禁止マー
クを表示手段に表示させると共に、停止キー入力による実行を禁止する。このような禁止
処理により、禁止箇所でユーザ操作が実行されてしまうのを防止することができる。
【００１４】
また、例えば、早送り再生中に例えば一時停止キーが押下されると、第３のキー入力禁
止／許可判定手段は、一時停止キーのキー入力があった時点のナビゲーションパックの次
と次の次のナビゲーションパックに含まれるユーザ操作制御情報をチェックして、当該一
時停止キー入力が禁止であるか否かを判定する。当該一時停止キー入力が禁止でなければ
、第３のキー入力実行手段は、当該一時停止キー入力に従った一時停止処理を行う。当該
一時停止キー入力が禁止であれば、第３のキー入力実行禁止手段は、禁止マークを表示手
段に表示させると共に、一時停止キー入力による実行を禁止する。このような禁止処理に
より、禁止箇所でユーザ操作が実行されてしまうのを防止することができる。
【００１５】
この構成によれば、特定のユーザ操作のキー入力が禁止された箇所の直前（キー入力が
あってから実際に処理が実行されるまでの処理時間の遅れのために実際の処理の実行が禁
止箇所に入るような直前）において、そのキー入力があった時に、そのキー入力による処
理が禁止箇所で実行されるのを防止することができるので、本来、光ディスクにおいて禁
止とされているユーザ操作のキー入力が正しく禁止として扱われ、光ディスクに書き込ま
れている動作を正確に実行でき、装置の信頼性が向上する。
【００１６】
請求項２の発明は、光ディスクが装填された後、キー入力があった際に、この時点の動
作状態に応じて先読み情報として指定されたナビゲーションパックのユーザ操作制御情報
を前記光ディスクから読み出し、この読み出されたユーザ操作制御情報により当該キー入
力が禁止されていると判定されたときは、禁止マークを表示手段に表示させると共に、当
該キー入力を実行させないように制御するシステムコントローラを備えたことを特徴とす
る光ディスク再生装置を提供する。
【００１７】
この構成において、光ディスクが装填された後、キー入力があった際に、この時点の動
作状態に応じて先読み情報として指定されたナビゲーションパックのユーザ操作制御情報
が前記光ディスクから読み出され、この読み出されたユーザ操作制御情報により当該キー
入力が禁止されていると判定されたとき、禁止マークが表示手段に表示されると共に、当
該キー入力が実行されなくなる。
【００１８】
この構成によれば、特定のユーザ操作のキー入力が禁止された箇所の直前（キー入力が
あってから実際に処理が実行されるまでの処理時間の遅れのために実際の処理の実行が禁
止箇所に入るような直前）において、そのキー入力があった時に、そのキー入力による処
理が禁止箇所で実行されるのを防止することができるので、本来、光ディスクにおいて禁
止とされているユーザ操作のキー入力が正しく禁止として扱われ、光ディスクに書き込ま
れている動作を正確に実行でき、装置の信頼性が向上する。
【００１９】
請求項３の発明では、請求項２の発明において、この時点の動作状態に応じて先読み情
報として指定されたナビゲーションパックのユーザ操作制御情報とは、光ディスクが装填
された後、キー入力があった際に、この時点の前記光ディスク上の制御情報のナビゲーシ
ョンパックに含まれるユーザ操作制御情報、または通常再生中にキー入力があった際に、
この時点の前記光ディスク上の制御情報のナビゲーションパック以降のナビゲーションパ
ックのユーザ操作制御情報、または早送り／早戻し再生中にキー入力があった際に、この
時点の前記光ディスク上の制御情報のナビゲーションパック以降のナビゲーションパック
のユーザ操作制御情報であるので、これらのユーザ操作制御情報を用いることにより、特
定のユーザ操作のキー入力が禁止された箇所の直前において、そのキー入力があった時に
、そのキー入力による処理が禁止箇所で実行されるのを防止することに貢献できる。
【００２０】
請求項４の発明では、請求項３の発明において、通常再生中にキー入力があった際に、
この時点の前記光ディスク上の制御情報のナビゲーションパック以降のナビゲーションパ
ックのユーザ操作制御情報とは、前記時点の前記光ディスク上の制御情報のナビゲーショ
ンパックの次のナビゲーションパックに含まれるユーザ操作制御情報であり、早送り／早
戻し再生中にキー入力があった際に、この時点の前記光ディスク上の制御情報のナビゲー
ションパックの以降のナビゲーションパックのユーザ操作制御情報とは、前記時点の前記
光ディスク上の制御情報のナビゲーションパックの次と次の次のナビゲーションパックに
含まれるユーザ操作制御情報であるので、これらのユーザ操作制御情報を用いることによ
り、特定のユーザ操作のキー入力が禁止された箇所の直前において、そのキー入力があっ
た時に、そのキー入力による処理が禁止箇所で実行されるのを防止することに貢献できる
。
【００２１】
請求項５の発明では、請求項２の発明において、前記システムコントローラは、光ディ
スクが装填されて立ち上げされた後、キー入力があった際に、その時点の前記光ディスク
上の制御情報のナビゲーションパックに含まれるユーザ操作制御情報により当該キー入力
は禁止されているか許可されているかを判定する第１のキー入力禁止／許可判定手段と、
当該キー入力が禁止されていると前記第１のキー入力禁止／許可判定手段により判定され
たときは禁止マークを表示手段に表示させると共に当該キー入力による実行を禁止する第
１のキー入力実行禁止手段と、当該キー入力が許可されていると判定されたときは当該キ
ー入力に従った処理を実行させる第１のキー入力実行手段と、通常再生中にキー入力があ
った際に、この時点の前記光ディスク上の制御情報のナビゲーションパックの次のナビゲ
ーションパックに含まれるユーザ操作制御情報により当該キー入力は禁止されているか許
可されているかを判定する第２のキー入力禁止／許可判定手段と、当該キー入力が禁止さ
れていると前記第２のキー入力禁止／許可判定手段により判定されたときは禁止マークを
表示手段に表示させると共に当該キー入力による実行を禁止する第２のキー入力実行禁止
手段と、当該キー入力が許可されていると前記第２のキー入力禁止／許可判定手段により
判定されたときは当該キー入力に従った処理を実行させる第２のキー入力実行手段と、早
送り／早戻し再生中にキー入力があった際に、この時点の前記光ディスク上の制御情報の
ナビゲーションパックの次と次の次のナビゲーションパックに含まれるユーザ操作制御情
報により当該キー入力は禁止されているか許可されているかを判定する第３のキー入力禁
止／許可判定手段と、当該キー入力が禁止されていると前記第３のキー入力禁止／許可判
定手段により判定されたときは禁止マークを表示手段に表示させると共に当該キー入力に
よる実行を禁止する第３のキー入力実行禁止手段と、当該キー入力が許可されていると前
記第３のキー入力禁止／許可判定手段により判定されたときは当該キー入力に従った処理
を実行させる第３のキー入力実行手段と有する。
【００２２】
したがって、前記システムコントローラは、第１のキー入力禁止／許可判定処理、第１
のキー入力実行禁止処理、第１のキー入力処理実行処理、第２のキー入力禁止／許可判定
処理、第２のキー入力実行禁止処理、第２のキー入力処理実行処理、第３のキー入力禁止
／許可判定処理、第３のキー入力実行禁止処理、および第３のキー入力処理実行処理を実
現でき、これにより、特定のユーザ操作のキー入力が禁止された箇所の直前において、そ
のキー入力があった時に、そのキー入力による処理が禁止箇所で実行されるのを防止する
ことができる処理を実現することが可能になる。
【発明の効果】
【００２３】
以上のように本発明によれば、光ディスクが装填されて立ち上げされた後、キー入力が
あった際に、その時点の前記光ディスク上の制御情報のナビゲーションパックに含まれる
ユーザ操作制御情報により当該キー入力は禁止されているか許可されているかを判定する
第１のキー入力禁止／許可判定手段と、当該キー入力が禁止されていると前記第１のキー
入力禁止／許可判定手段により判定されたときは禁止マークを表示手段に表示させると共
に当該キー入力による実行を禁止する第１のキー入力実行禁止手段と、当該キー入力が許
可されていると判定されたときは当該キー入力に従った処理を実行させる第１のキー入力
実行手段と、通常再生中にキー入力があった際に、この時点の前記光ディスク上の制御情
報のナビゲーションパックの次のナビゲーションパックに含まれるユーザ操作制御情報に
より当該キー入力は禁止されているか許可されているかを判定する第２のキー入力禁止／
許可判定手段と、当該キー入力が禁止されていると前記第２のキー入力禁止／許可判定手
段により判定されたときは禁止マークを表示手段に表示させると共に当該キー入力による
実行を禁止する第２のキー入力実行禁止手段と、当該キー入力が許可されていると前記第
２のキー入力禁止／許可判定手段により判定されたときは当該キー入力に従った処理を実
行させる第２のキー入力実行手段と、早送り／早戻し再生中にキー入力があった際に、こ
の時点の前記光ディスク上の制御情報のナビゲーションパックの次と次の次のナビゲーシ
ョンパックに含まれるユーザ操作制御情報により当該キー入力は禁止されているか許可さ
れているかを判定する第３のキー入力禁止／許可判定手段と、当該キー入力が禁止されて
いると前記第３のキー入力禁止／許可判定手段により判定されたときは禁止マークを表示
手段に表示させると共に当該キー入力による実行を禁止する第３のキー入力実行禁止手段
と、当該キー入力が許可されていると前記第３のキー入力禁止／許可判定手段により判定
されたときは当該キー入力に従った処理を実行させる第３のキー入力実行手段と有するシ
ステムコントローラを備えたので、特定のユーザ操作のキー入力が禁止された箇所の直前
（キー入力があってから実際に処理が実行されるまでの処理時間の遅れのために実際の処
理の実行が禁止箇所に入るような直前）において、そのキー入力があった時に、そのキー
入力による処理が禁止箇所で実行されるのを防止することができ、これにより、本来、光
ディスクにおいて禁止とされているユーザ操作のキー入力が正しく禁止として扱われ、光
ディスクに書き込まれている動作を正確に実行でき、装置の信頼性が向上する。
【００２４】
また、本発明によれば、光ディスクが装填された後、キー入力があった際に、この時点
の動作状態に応じて先読み情報として指定されたナビゲーションパックのユーザ操作制御
情報を前記光ディスクから読み出し、この読み出されたユーザ操作制御情報により当該キ
ー入力が禁止されていると判定されたときは、禁止マークを表示手段に表示させると共に
、当該キー入力を実行させないように制御するシステムコントローラを備えたので、特定
のユーザ操作のキー入力が禁止された箇所の直前（キー入力があってから実際に処理が実
行されるまでの処理時間の遅れのために実際の処理の実行が禁止箇所に入るような直前）
において、そのキー入力があった時に、そのキー入力による処理が禁止箇所で実行される
のを防止することができ、これにより、本来、光ディスクにおいて禁止とされているユー
ザ操作のキー入力が正しく禁止として扱われ、光ディスクに書き込まれている動作を正確
に実行でき、装置の信頼性が向上する。
【発明を実施するための最良の形態】
【００２５】
以下、添付図面を参照しつつ、本発明の実施の形態について説明する。図１は本発明の
一実施形態に係る光ディスク再生装置の構成を示すブロック図である。
【００２６】
この光ディスク再生装置は、光ディスク（ＤＶＤ）１を回転させるスピンドルモータ５
と、光ディスク１に記録された情報を再生するためのレーザ光を出射すると共に光ディス
ク１からの反射光を受光する光ピックアップ２と、この光ピックアップ２を光ディスク１
の半径方向に移動させるためのスレッド３と、システムコントローラ２２の指示に応じて
スピンドルモータ５およびスレッド３を駆動すると共に光ピックアップ２に内蔵された対
物レンズ（図示せず）を動かすことによりレーザ光の焦点位置を光ディスク１の記録面に
対して垂直方向および水平方向に移動させる制御を行うサーボ制御部４とを備えている。
【００２７】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータと映像データとを分離す
るストリーム分離部９とを備えている。
【００２８】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力された映像デー
タを入力して所定のデコード処理を行うビデオデコーダ１５と、このビデオデコーダ１５
でのデコード処理を行うためにデータを一時的に格納するＲＡＭ１４とを備えている。
【００２９】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００３０】
また、この光ディスク再生装置は、システムコントローラ２２に対して、再生指示を与
えるための再生キー（図示せず）、再生停止を指示するための停止キー（図示せず）、早
送りキー（図示せず）、早戻しキー（図示せず）、その他各種操作キー（図示せず）を有
するリモコン２６と、装置全体を制御する前記システムコントローラ２２とを備えている
。操作部２１は、リモコン２６の操作キーよりは少ない個数の操作キーを有し、リモコン
２６からの操作指令を示す光信号を受信する受光手段（図示せず）を備え、この受光手段
により光信号を電気信号に変換してシステムコントローラ２２に指令信号を入力する。
【００３１】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、このＣＰＵ２４の演算処理に必要なデータを一時的に格納する
ＲＡＭ２７と、操作部２１またはリモコン２６からの操作内容などを表示したりする本体
側の表示部２５とを備えている。
【００３２】
システムコントローラ２２は、本実施形態の特徴とする構成要素として、光ディスク１
が装填されて立ち上げされた後、キー入力があった際に、この時点の前記光ディスク１上
の制御情報のナビゲーションパックに含まれるユーザ操作制御情報により当該キー入力は
禁止されているか許可されているかを判定する第１のキー入力禁止／許可判定手段２２１
と、当該キー入力が禁止されていると前記第１のキー入力禁止／許可判定手段２２１によ
り判定されたときは禁止マークをディスプレイ装置２０または／および表示部２５に表示
させると共に当該キー入力による実行を禁止する第１のキー入力実行禁止手段２２２と、
当該キー入力が許可されていると判定されたときは当該キー入力に従った処理を実行させ
る第１のキー入力実行手段２２３とを有する。
【００３３】
また、システムコントローラ２２は、通常再生中にキー入力があった際に、この時点の
前記光ディスク１上の制御情報のナビゲーションパックの次のナビゲーションパックに含
まれるユーザ操作制御情報により当該キー入力は禁止されているか許可されているかを判
定する第２のキー入力禁止／許可判定手段２２４と、当該キー入力が禁止されていると前
記第２のキー入力禁止／許可判定手段２２４により判定されたときは禁止マークをディス
プレイ装置２０または／および表示部２５に表示させると共に当該キー入力による実行を
禁止する第２のキー入力実行禁止手段２２５と、当該キー入力が許可されていると前記第
２のキー入力禁止／許可判定手段２２４により判定されたときは当該キー入力に従った処
理を実行させる第２のキー入力実行手段２２６とを有する。
【００３４】
更に、システムコントローラ２２は、早送り／早戻し再生中にキー入力があった際に、
この時点の前記光ディスク１上の制御情報のナビゲーションパックの次と次の次のナビゲ
ーションパックに含まれるユーザ操作制御情報により当該キー入力は禁止されているか許
可されているかを判定する第３のキー入力禁止／許可判定手段２２７と、当該キー入力が
禁止されていると前記第３のキー入力禁止／許可判定手段２２７により判定されたときは
禁止マークをディスプレイ装置２０または／および表示部２５に表示させると共に当該キ
ー入力による実行を禁止する第３のキー入力実行禁止手段２２８と、当該キー入力が許可
されていると前記第３のキー入力禁止／許可判定手段２２７により判定されたときは当該
キー入力に従った処理を実行させる第３のキー入力実行手段２２９と有する。
【００３５】
図２は本実施形態においてＤＶＤビデオの光ディスクに記録されているデータ構造を示
す図である。図２において、ビデオ・オブジェクト・セット（ＶＯＢＳ）は、複数のビデ
オ・オブジェクト（ＶＯＢ）、即ち、（Ｖ０Ｂ＿ＩＤＮ１），（Ｖ０Ｂ＿ＩＤＮ２），・
・・，（Ｖ０Ｂ＿ＩＤＮｉ）から構成される。前記ＩＤＮ１，ＩＤＮ２，・・・，ＩＤＮ
ｉは、識別番号を示す。そして、各ビデオ・オブジェクト（ＶＯＢ）は複数のセル（Ｃｅ
ｌｌ）から構成されている。例えば、ビデオ・オブジェクト（Ｖ０Ｂ＿ＩＤＮ１）は、複
数のセル（Ｃ＿ＩＤＮ１），（Ｃ＿ＩＤＮ２），・・・，（Ｃ＿ＩＤＮｊ）から構成され
る。なお、前記ＩＤＮ１，ＩＤＮ２，・・・，ＩＤＮｊは、識別番号を示す。
【００３６】
例えば、セル（Ｃ＿ＩＤＮ１）は、複数のビデオ・オブジェクト・ユニット（ＶＯＢＵ
）から構成される。各ビデオ・オブジェクト・ユニット（ＶＯＢＵ）は、ナビゲーション
パック（ＮＶ＿ＰＣＫ）、オーディオパック（Ａ＿ＰＣＫ）、ビデオパック（Ｖ＿ＰＣＫ
）、およびサブピクチャパック（ＳＰ＿ＰＣＫ）を含み構成される。
【００３７】
前記ナビゲーションパック（ＮＶ＿ＰＣＫ）および前記オーディオパック（Ａ＿ＰＣＫ
）は、例えば２０４８バイトで構成され、例えば、１４バイトのパックヘッダー（Ｐａｃ
ｋ  ｈｅａｄｅｒ）、２４バイトのシステムヘッダー（Ｓｙｓｔｅｍ  ｈｅａｄｅｒ）、
６バイトのパケットヘッダー（Ｐａｃｋｅｔ  ｈｅａｄｅｒ）、１バイトのサブストリー
ム識別子（Ｓｕｂ＿ｓｔｒｅａｍ＿ｉｄ）、９７９バイトのプレイコントロール情報デー
タ（ＰＣＩ  ｄａｔａ）、６バイトのパケットヘッダー（Ｐａｃｋｅｔ  ｈｅａｄｅｒ）
、１バイトのサブストリーム識別子（Ｓｕｂ＿ｓｔｒｅａｍ＿ｉｄ）、および１０１７バ
イトのデータサーチ情報データ（ＤＳＩ  ｄａｔａ）から構成される。
【００３８】
６バイトのパケットヘッダー（Ｐａｃｋｅｔ  ｈｅａｄｅｒ）と１バイトのサブストリ
ーム識別子（Ｓｕｂ＿ｓｔｒｅａｍ＿ｉｄ）と９７９バイトのプレイコントロール情報デ
ータ（ＰＣＩ  ｄａｔａ）とにより、プレイコントロール・パケット（ＰＣＩ＿ＰＫＴ）
を構成する。６バイトのパケットヘッダー（Ｐａｃｋｅｔ  ｈｅａｄｅｒ）と１バイトの
サブストリーム識別子（Ｓｕｂ＿ｓｔｒｅａｍ＿ｉｄ）と１０１７バイトのデータサーチ
情報データ（ＤＳＩ  ｄａｔａ）とにより、データサーチ情報パケット（ＤＳＩ＿ＰＫＴ
）を構成する。
【００３９】
図３は図２中のプレイコントロール情報データ（ＰＣＩ  ｄａｔａ）の内容を説明する
ための図である。図３において、３１はプレイコントロール情報データの内容を示し、３
２はＰＣＩの一般情報の内容を示す。３３はＶＯＢＵのユーザ操作制御（ＶＯＢＵ＿ＵＯ
Ｐ＿ＣＴＬ）の内容を示す。
【００４０】
プレイコントロール情報データ（ＰＣＩ  ｄａｔａ）は、ＰＣＩの一般情報とノンシー
ムレス用アングル情報とハイライト情報と記録情報とを含んでいる。前記ＰＣＩの一般情
報は、ナビゲーションパックの論理ブロック、ビデオ・オブジェクト・ユニット（ＶＯＢ
Ｕ）のカテゴリ、ビデオ・オブジェクト・ユニット（ＶＯＢＵ）のユーザ操作制御、ビデ
オ・オブジェクト・ユニット（ＶＯＢＵ）の再生開始時間、ビデオ・オブジェクト・ユニ
ット（ＶＯＢＵ）の再生終了時間、ビデオ・オブジェクト・ユニット（ＶＯＢＵ）内シー
ケンス終了コードによる再生終了時間、セル経過時間、および予約の情報を含んでいる。
【００４１】
ビデオ・オブジェクト・ユニット（ＶＯＢＵ）のユーザ操作制御（ＶＯＢＵ＿ＵＯＰ＿
ＣＴＬ）情報は、タイトル・サーチ・ポインタ・テーブル（ＴＴ＿ＳＲＰＴ）によって各
ビデオ・タイトル・セット（ＶＴＳ）をサーチし、その先頭のビデオ・タイトル・セット
情報（ＶＴＳＩ）に基づいて、そのビデオ・タイトル・セットの最後のビデオ・オブジェ
クト・ユニット（ＶＯＢＵ）をサーチし、そのナビゲーションパック（ＮＶ＿ＰＣＫ）に
おけるプレイコントロール情報（ＰＣＩ）の一般情報から得ることができる。
【００４２】
ビデオ・オブジェクト・ユニット（ＶＯＢＵ）のユーザ操作制御（ＶＯＢＵ＿ＵＯＰ＿
ＣＴＬ）情報によれば、ユーザ操作ビットｂ３〜ｂ１６およびｂ１８〜ｂ２４により、対
応するユーザ機能のユーザ操作が制御される。各ユーザ操作ビットが０のときは対応する
ユーザ機能のユーザ操作を許可し、各ユーザ操作ビットが１のときは禁止することを意味
する。
【００４３】
図４は本実施形態においてキー入力操作に対する処理を説明するためのフローチャート
である。このフローチャートおよび図１〜図３を参照してキー入力操作に対する処理につ
いて説明する。
【００４４】
この場合の光ディスク１はＤＶＤであり、この光ディスク１が装填されると、この光デ
ィスク再生装置のシステムコントローラ２２は、光ディスク１の装填を検出し（ステップ
Ｓ１）、光ディスク１を立ち上げる（ステップＳ２）。光ディスク１が立ち上がった後、
例えばリモコン２６の再生キーが押下され、この再生キーの押下をシステムコントローラ
２２が検出すると（ステップＳ３）、これにより、システムコントローラ２２の第１のキ
ー入力禁止／許可判定手段２２１は、この時点の光ディスク１上の制御情報のナビゲーシ
ョンパック（ＮＶ＿ＰＣＫ）に含まれるビデオ・オブジェクト・ユニット（ＶＯＢＵ）の
ユーザ操作制御（ＶＯＢＵ＿ＵＯＰ＿ＣＴＬ）情報をチェックして（ステップＳ４）、当
該再生キー入力が禁止ＵＯＰであるか否かを判定する（ステップＳ５）。
【００４５】
当該再生キー入力が禁止ＵＯＰであれば、システムコントローラ２２の第１のキー入力
実行禁止手段２２２は、禁止マークをディスプレイ装置２０または／および表示部２５に
表示させると共に、当該再生キー入力による実行を禁止する（ステップＳ６）。一方、当
該再生キー入力が禁止ＵＯＰでなければ、システムコントローラ２２の第２のキー入力実
行手段２２３は、光ディスク１に対する再生を開始させる（ステップＳ７）。
【００４６】
このような処理により通常再生が行われている時に、例えばリモコン２６の停止キーが
押下されると、この停止キーの押下はシステムコントローラ２２により検出され（ステッ
プＳ１８）、これにより、システムコントローラ２２の第２のキー入力禁止／許可判定手
段２２４は、停止キーのキー入力があった時点のナビゲーションパック（ＮＶ＿ＰＣＫ）
の次のナビゲーションパック（ＮＶ＿ＰＣＫ）に含まれるビデオ・オブジェクト・ユニッ
ト（ＶＯＢＵ）のユーザ操作制御（ＶＯＢＵ＿ＵＯＰ＿ＣＴＬ）情報をチェックして（ス
テップＳ１９）、当該停止キー入力が禁止ＵＯＰであるか否かを判定する（ステップＳ２
０）。
【００４７】
なお、ここでは、前記次のナビゲーションパック（ＮＶ＿ＰＣＫ）に含まれるビデオ・
オブジェクト・ユニット（ＶＯＢＵ）のユーザ操作制御（ＶＯＢＵ＿ＵＯＰ＿ＣＴＬ）情
報をチェックしたが、これに限らず、例えば次と次のナビゲーションパック（ＮＶ＿ＰＣ
Ｋ）に含まれるビデオ・オブジェクト・ユニット（ＶＯＢＵ）のユーザ操作制御（ＶＯＢ
Ｕ＿ＵＯＰ＿ＣＴＬ）情報をチェックするようにしても良い。先読み情報として利用する
ナビゲーションパック（ＮＶ＿ＰＣＫ）の先読みの個数は、例えばキー入力があってから
実際に処理が実行されるまでの処理時間の遅れ（タイムラグ）の大きさによって決定する
ことができる。
【００４８】
当該停止キー入力が禁止ＵＯＰでなければ、システムコントローラ２２の第２のキー入
力実行手段２２６は、当該停止キー入力に従った停止処理を実行する（ステップＳ２１）
。当該停止キー入力が禁止ＵＯＰであれば、システムコントローラ２２の第２のキー入力
実行禁止手段２２５は、禁止マークをディスプレイ装置２０または／および表示部２５に
表示させると共に、停止キー入力による実行を禁止する。このような禁止処理により、禁
止箇所でＵＯＰ（この場合、停止処理）が実行されてしまうのを防止することができる。
【００４９】
また、再生が開始し（ステップＳ７）、通常再生が行われている時に、リモコン２６の
早送りキー（ＦＦキー）が押下されると、この早送りキーの押下がシステムコントローラ
２２により検出され（ステップＳ８）、これにより、システムコントローラ２２の第２の
キー入力禁止／許可判定手段２２４は、早送りキーのキー入力があった時点のナビゲーシ
ョンパック（ＮＶ＿ＰＣＫ）の次のナビゲーションパック（ＮＶ＿ＰＣＫ）に含まれるビ
デオ・オブジェクト・ユニット（ＶＯＢＵ）のユーザ操作制御（ＶＯＢＵ＿ＵＯＰ＿ＣＴ
Ｌ）情報をチェックして（ステップＳ９）、当該停止キー入力が禁止ＵＯＰであるか否か
を判定する（ステップＳ１０）。
【００５０】
当該早送りキー入力が禁止ＵＯＰでなければ、システムコントローラ２２の第２のキー
入力実行手段２２６は、当該早送りキー入力に従った早送り再生を開始させる（ステップ
Ｓ１２）。当該早送りキー入力が禁止ＵＯＰであれば、システムコントローラ２２の第２
のキー入力実行禁止手段２２５は、禁止マークをディスプレイ装置２０または／および表
示部２５に表示させると共に、早送りキー入力による実行を禁止する（ステップＳ１１）
。このような禁止処理により、禁止箇所でＵＯＰ（この場合、早送り再生処理）が実行さ
れてしまうのを防止することができる。
【００５１】
早送り再生が開始して早送り再生中に、例えば、リモコン２６の一時停止キーが押下さ
れると、この一時停止キーの押下がシステムコントローラ２２により検出され（ステップ
Ｓ１３）、これにより、システムコントローラ２２の第３のキー入力禁止／許可判定手段
２２７は、一時停止キーのキー入力があった時点のナビゲーションパック（ＮＶ＿ＰＣＫ
）の次と次の次のナビゲーションパック（ＮＶ＿ＰＣＫ）に含まれるビデオ・オブジェク
ト・ユニット（ＶＯＢＵ）のユーザ操作制御（ＶＯＢＵ＿ＵＯＰ＿ＣＴＬ）情報をチェッ
クして（ステップＳ１４）、当該一時停止キー入力が禁止ＵＯＰであるか否かを判定する
（ステップＳ１５）。
【００５２】
なお、ここでは、前記次と次の次のナビゲーションパック（ＮＶ＿ＰＣＫ）に含まれる
ビデオ・オブジェクト・ユニット（ＶＯＢＵ）のユーザ操作制御（ＶＯＢＵ＿ＵＯＰ＿Ｃ
ＴＬ）情報をチェックしたが、これに限らず、例えば次と次の次と次の次の次のナビゲー
ションパック（ＮＶ＿ＰＣＫ）に含まれるビデオ・オブジェクト・ユニット（ＶＯＢＵ）
のユーザ操作制御（ＶＯＢＵ＿ＵＯＰ＿ＣＴＬ）情報をチェックするようにしても良い。
先読み情報として利用するナビゲーションパック（ＮＶ＿ＰＣＫ）の先読みの個数は、例
えばキー入力があってから実際に処理が実行されるまでの処理時間の遅れ（タイムラグ）
の大きさによって決定することができる。
【００５３】
当該一時停止キー入力が禁止ＵＯＰでなければ、システムコントローラ２２の第３のキ
ー入力実行手段２２９は、当該一時停止キー入力に従った一時停止処理を行う（ステップ
Ｓ１７）。当該一時停止キー入力が禁止ＵＯＰであれば、システムコントローラ２２の第
３のキー入力実行禁止手段２２８は、禁止マークをディスプレイ装置２０または／および
表示部２５に表示させると共に、一時停止キー入力による実行を禁止する（ステップＳ１
６）。このような禁止処理により、禁止箇所でＵＯＰ（この場合、一時停止処理）が実行
されてしまうのを防止することができる。
【００５４】
なお、本実施形態では、光ディスク立ち上げ後は、再生キー入力に対する処理について
説明したが、再生キーに限らず、他のキー入力についても同様な処理が行われる。また、
通常再生中に停止キー入力や早送りキー入力があった場合に対する処理について説明した
が、これらに限らず、他のキー入力についても同様な処理が行われる。また、早送り再生
中に一時停止キー入力があった場合に対する処理について説明したが、一時停止キー入力
に限らず、他のキー入力についても同様な処理が行われる。また、早送り再生中に代わっ
て早戻し再生中において、キー入力があった場合も、同様な処理が行われる。
【００５５】
以上説明したように本実施形態によれば、特定のユーザ操作のキー入力が禁止された箇
所の直前（キー入力があってから実際に処理が実行されるまでの処理時間の遅れのために
実際の処理の実行が禁止箇所に入るような直前）において、そのキー入力があった時に、
そのキー入力による処理が禁止箇所で実行されるのを防止することができるので、本来、
光ディスクにおいて禁止とされているユーザ操作のキー入力が正しく禁止として扱われ、
光ディスクに書き込まれている動作を正確に実行でき、装置の信頼性が向上する。
【図面の簡単な説明】
【００５６】
【図１】本発明の一実施形態に係る光ディスク再生装置の構成を示すブロック図である。
【図２】前記実施形態においてＤＶＤビデオの光ディスクに記録されているデータ構造を示す図である。
【図３】図２中のプレイコントロール情報データ（ＰＣＩ  ｄａｔａ）の内容を説明するための図である。
【図４】前記実施形態においてキー入力操作に対する処理を説明するためのフローチャートである。
【図５】ＤＶＤビデオの光ディスクへの禁止情報の書込みによりユーザ操作を制御し得るユーザ機能を示す図である。
【図６】従来の光ディスク再生装置におけるキー入力処理の問題点を説明するための図である。
【符号の説明】
【００５７】
１    光ディスク
２０    ディスプレイ装置（表示手段）
２２    システムコントローラ
２５    表示部（表示手段）
２２１    第１のキー入力禁止／許可判定手段
２２２    第１のキー入力実行禁止手段
２２３    第１のキー入力実行手段
２２４    第２のキー入力禁止／許可判定手段
２２５    第２のキー入力実行禁止手段
２２６    第２のキー入力実行手段
２２７    第３のキー入力禁止／許可判定手段
２２８    第３のキー入力実行禁止手段
２２９    第３のキー入力実行手段
【図１】
2006338706.tif 000003
【図２】
2006338706.tif 000004
【図３】
2006338706.tif 000005
【図４】
2006338706.tif 000006
【図５】
2006338706.tif 000007
【図６】
2006338706.tif 000008